(57)【要約】【課題】調光制御装置が種別の異なる照明端末を調光制御する調光制御システムにおいて、照明端末の種別を正しく判定し、同一の調光信号回線に接続された照明端末が同一種別であるか否かを検出する。【解決手段】調光制御装置２は、調光信号回線Ｌ１、Ｌ２、Ｌ３、Ｌ４に対して調光信号Ｓを送信し、種別の異なる照明端末Ｆａ、Ｆｂ、Ｒ、Ｅを別々に調光制御する。各照明端末は、種別ごとに異なった値の静電容量値のコンデンサを内蔵し調光信号回線を所定時間短絡させる回線短絡装置３６、４５、５５を備える。調光制御装置２が調光信号Ｓを所定の電圧で送信したときに、充電時間測定回路２５が各調光信号回線について、所定の充電電圧になるまでの充電時間を測定してマイクロプロセッサ２３へ出力する。マイクロプロセッサ２３は、測定された充電時間に基づいて各調光信号回線に接続された照明端末の種別を判定し、同一種別でない場合はアラーム音を出力する。【選択図】図１
2008204921.tif 000002
【特許請求の範囲】
【請求項１】
複数の調光信号回線に対して調光信号を送信する調光制御装置と、前記複数の調光信号回線にそれぞれ接続された種別の異なる照明端末と、を備えた調光制御システムにおいて、
前記各照明端末は、
各照明端末にそれぞれ接続された調光信号回線を所定時間短絡するスイッチ手段と、
前記スイッチ手段によって形成される短絡路に介装され照明端末の種別ごとに異なった静電容量値を有する容量手段と、を備え、
前記調光制御装置は、
前記スイッチ手段によって短絡されて充電が開始される前記容量手段の電位が所定値になるまでの充電時間を測定する充電時間測定手段と、
前記充電時間測定手段によって測定された充電時間に基づいて各調光信号回線に接続された前記照明端末の種別を判定する種別判定手段と、を備えたことを特徴とする調光制御システム。
【請求項２】
前記調光制御装置は、
前記照明端末の種別ごとの調光信号と光出力との関連を示す調光制御情報を記憶した記憶手段をさらに備え、
前記種別判定手段が判定した種別に応じた調光制御情報を前記記憶手段から読出し、読出した調光制御情報に基づいて各照明端末に対して調光信号を送信することを特徴とする請求項１に記載の調光制御システム。
【請求項３】
前記調光制御装置は、
前記充電時間測定手段によって測定された充電時間を、種別ごとに異なった静電容量値を有する前記容量手段の１個が所定の電位にまで充電されるのに必要な充電時間で除算することによって、前記調光信号回線に接続された照明端末の数を算出する演算手段を備えることを特徴とする請求項１又は請求項２に記載の調光制御システム。
【請求項４】
前記演算手段が算出した照明端末の数が整数でない場合に、前記演算手段が演算を行った調光信号回線において種別の異なる照明端末が接続されていると判断してアラームを出力する報知手段を、さらに備えることを特徴とする請求項３に記載の調光制御システム。
【発明の詳細な説明】
【技術分野】
【０００１】
本発明は、調光制御装置から調光信号を送信して種別の異なる複数の照明端末を集中的に調光制御する調光制御システムに関する。
【背景技術】
【０００２】
複数の調光信号回線に蛍光灯、白熱灯、ＬＥＤ等の種別の異なる照明端末が接続され、調光制御装置から出力される調光信号の信号形式とは異なる信号形式によって調光制御される照明端末が接続された調光信号回線には信号変換器が設けられて、１つの調光制御装置から各調光信号回線に出力される調光信号により種別の異なる複数の照明端末が集中的に調光制御できる調光制御システムが知られている（例えば、特許文献１参照）。
【０００３】
特許文献１に示される調光制御システムについて図１５を参照して説明する。この調光制御システムでは、４系統の調光信号回線１０１、１０２、１０３、１０４を介して信号形式の異なる複数台の照明器具１０５、１０６、１０７、１０８が調光制御装置１０９に接続されており、調光制御装置１０９内の調光信号出力部１１０から出力される調光信号（ＰＷＭ信号）に対応していない照明器具（例えば、位相制御信号によって制御される白熱灯）が接続された調光信号回線１０１、１０２、１０３には信号変換器１１１、１１２、１１３が設けられている。
【０００４】
また、信号変換器１１１、１１２、１１３には、調光信号を照明器具１０５、１０６、１０７、１０８の種別に応じて所定時間短絡する（又は、調光信号を所定電圧に変更する）信号短絡部が備えられ、調光制御装置１０９には、調光信号回線ごとに調光信号の短絡時間（又は、電圧）を検出する短絡検出部１１４（又は、電圧検出部）と、照明器具の種別ごとの標準的な短絡時間（又は、電圧）を記憶しておく記憶部１１５が備えられて、調光制御装置１０９自体が、各系統に接続された照明器具１０５、１０６、１０７、１０８の種別を判断できるようになっており、照明システムを施工する際や照明器具の種類を変更する際のユーザの手間が省けるようになっている。
【０００５】
一方、定格放電灯電圧が略等しく定格放電灯電力が異なる複数の放電灯の種類を判別し、判別した種類に基づいて放電灯を略定格点灯させる放電灯点灯装置が知られている（例えば、特許文献２参照）。この放電灯点灯装置では、１つの放電灯点灯装置に装着された放電灯に再点弧電圧を発生させ、その再点弧電圧と所定電圧との比較に基づいて放電灯の種類を判別している。
【特許文献１】特開２００６−２７８０５９号公報
【特許文献２】特開２００３−３１７９８３号公報
【発明の開示】
【発明が解決しようとする課題】
【０００６】
ところで、上記のような複数の調光信号回線に対して１つの調光制御装置から調光信号を送信して複数台の照明器具を集中的に調光制御する調光制御システムにおいては、各調光信号回線に複数台の照明器具が接続される場合が多いのであるが、特許文献１に記載された調光制御システムでは、調光制御装置が各調光信号回線に調光信号を出力するときの調光信号に与えられる短絡時間（又は、電圧変化）によって照明器具の種別を判定するようになっているので、各調光信号回線に接続された複数台の照明器具の中に種別の異なる照明器具が混在していてもそれを検出することが困難である。
【０００７】
例えば、上記特許文献１に示される調光制御システムでは、特定の調光信号回線に、短絡時間が短く設定された照明器具と短絡時間が長く設定された照明器具が混在して接続されている場合、短絡時間が短く設定された照明器具の存在は検出されないという不具合がある。
【０００８】
また、上記特許文献２に示される放電灯点灯装置は、１つの放電灯点灯装置に装着された放電灯の種類を、当該放電灯の再点弧電圧に基づいて判別するものであって、複数の調光信号回線にそれぞれ接続された照明端末の種別を判定するものではない。
【０００９】
本発明は、複数の調光信号回線に種別の異なる照明端末がそれぞれ接続されて成る調光制御システムにおいて、各照明端末の種別をより正しく判定することができ、また、各調光信号回線に複数の照明端末が接続される場合に、該複数の照明端末が同一の種別であるか否かを検出することができる調光制御システムを提供することを目的とする。
【課題を解決するための手段】
【００１０】
上記目的を達成するために、請求項１の発明は、複数の調光信号回線に対して調光信号を送信する調光制御装置と、前記複数の調光信号回線にそれぞれ接続された種別の異なる照明端末と、を備えた調光制御システムにおいて、前記各照明端末は、各照明端末にそれぞれ接続された調光信号回線を所定時間短絡するスイッチ手段と、前記スイッチ手段によって形成される短絡路に介装され照明端末の種別ごとに異なった静電容量値を有する容量手段と、を備え、前記調光制御装置は、前記スイッチ手段によって短絡されて充電が開始される前記容量手段の電位が所定値になるまでの充電時間を測定する充電時間測定手段と、前記充電時間測定手段によって測定された充電時間に基づいて各調光信号回線に接続された前記照明端末の種別を判定する種別判定手段と、を備えたことを特徴とする。
【００１１】
請求項２の発明は、請求項１に記載の調光制御システムにおいて、前記調光制御装置は、前記照明端末の種別ごとの調光信号と光出力との関連を示す調光制御情報を記憶した記憶手段をさらに備え、前記種別判定手段が判定した種別に応じた調光制御情報を前記記憶手段から読出し、読出した調光制御情報に基づいて各照明端末に対して調光信号を送信することを特徴とする。
【００１２】
請求項３の発明は、請求項１又は請求項２に記載の調光制御システムにおいて、前記調光制御装置は、前記充電時間測定手段によって測定された充電時間を、種別ごとに異なった静電容量値を有する前記容量手段の１個が所定の電位にまで充電されるのに必要な充電時間で除算することによって、前記調光信号回線に接続された照明端末の数を算出する演算手段を備えることを特徴とする。
【００１３】
請求項４の発明は、請求項３に記載の調光制御システムにおいて、前記演算手段が算出した照明端末の数が整数でない場合に、前記演算手段が演算を行った調光信号回線において種別の異なる照明端末が接続されていると判断してアラームを出力する報知手段を、さらに備えることを特徴とする。
【発明の効果】
【００１４】
請求項１の発明によれば、調光制御装置が、各調光信号回線の短絡路に介装された容量手段への充電時間を測定し、測定した充電時間に基づいて各調光信号回線に接続された照明端末の種別を判定するので、各調光信号回線に接続された照明端末の種別をより正しく判定することができる。
【００１５】
請求項２の発明によれば、請求項１の発明の効果に加えて、調光制御装置が、判定した種別に応じた調光制御情報を記憶手段から読出し、読出した調光制御情報に基づいて調光信号を送信するので、各照明端末を種別ごとに正しい調光状態で点灯することができる。
【００１６】
請求項３の発明によれば、請求項１又は請求項２の発明の効果に加えて、調光制御装置が、測定した充電時間を、容量手段の１個についての充電時間で除算することによって調光信号回線に接続された照明端末の数を算出するので照明端末の数を正しく判定することができる。
【００１７】
請求項４の発明によれば、請求項３の発明の効果に加えて、演算手段が算出した照明端末の数が整数でない場合に、アラームを出力する報知手段を備えるので、ユーザが配線の間違い等の異常を確実に知ることができる。
【発明を実施するための最良の形態】
【００１８】
以下、本発明の一実施形態に係る調光制御システムについて、図１乃至図１４を参照して説明する。本実施形態の調光制御システム１は、図１に示されるように、４系統の調光信号回線Ｌ１、Ｌ２、Ｌ３、Ｌ４に対して調光信号を送信する調光制御装置２と、ユーザが操作して調光制御装置２に対して操作信号を出力するリモコン３と、各調光信号回線Ｌ１、Ｌ２、Ｌ３、Ｌ４にそれぞれ接続された種別の異なる照明端末としての蛍光灯照明器具Ｆａ、Ｆｂ、白熱灯照明器具Ｒ、及びＬＥＤ照明器具Ｅとを備える。調光信号回線Ｌ１、Ｌ２、Ｌ３、Ｌ４は、図１では１本の線に示されているが、実際には並行した２本の線から構成される。
【００１９】
各照明端末Ｆａ、Ｆｂ、Ｒ、Ｅは、それぞれ調光信号回線Ｌ１、Ｌ２、Ｌ３、Ｌ４を後述のタイミングで所定時間短絡し、その短絡路に照明端末の種別ごとに異なった静電容量値のコンデンサを有する回線短絡装置３６、４５、５５を備えている。
【００２０】
蛍光灯照明器具Ｆａ、Ｆｂ、白熱灯照明器具Ｒ、及びＬＥＤ照明器具Ｅは、それぞれ複数台が各調光信号回線Ｌ１、Ｌ２、Ｌ３、Ｌ４に対して並列に接続されており、例えば、本調光制御システム１がオフィスの照明設備として設けられる場合には、調光信号回線Ｌ１に接続された蛍光灯照明器具Ｆａ１、Ｆａ２・・のグループ、調光信号回線Ｌ２に接続された蛍光灯照明器具Ｆｂ１、Ｆｂ２・・のグループ、調光信号回線Ｌ３に接続された白熱灯照明器具Ｒ１、Ｒ２・・のグループ、及び調光信号回線Ｌ４に接続されたＬＥＤ照明器具Ｅ１、Ｅ２・・のグループが、それぞれオフィスの別々の領域を照明するように配置される。
【００２１】
調光制御装置２は、商用電源２１から電源回路２２を介して所定の動作電圧を供給されるマイクロプロセッサ２３（種別判定手段）と、マイクロプロセッサ２３によって制御され各調光信号回線Ｌ１、Ｌ２、Ｌ３、Ｌ４に所定の調光信号Ｓ（ＰＷＭ信号）を出力する調光信号出力回路２４と、各調光信号回線Ｌ１、Ｌ２、Ｌ３、Ｌ４がそれぞれ回線短絡装置３６、４５、５５によって短絡されたときに各短絡路のコンデンサが所定の電圧（電位）まで充電される充電時間を測定し測定値をマイクロプロセッサ２３へ出力する充電時間測定回路２５と、照明器具の種別ごとの調光制御情報（後述）等を記憶した記憶部２６（記憶手段）と、リモコン３から送出される赤外線を受光し赤外線に重畳された指令信号をマイクロプロセッサ２３へ出力する赤外線受光部２７と、各調光信号回線Ｌ１、Ｌ２、Ｌ３、Ｌ４に接続された照明器具の台数を算出するマイクロプロセッサから構成される演算部２８と、演算部２８によって算出された照明器具の台数が整数でない場合に、アラーム音を出力するスピーカ２９（報知手段）と、を備える。
【００２２】
図１では、赤外線受光部２７を使用しているが、受光部は、赤外線を受光するものに限られず、特定小電力無線その他の電波を受信するものでもよい。また、報知手段としてスピーカ２９に加えてアラーム内容のメッセージを表示する液晶パネル等の表示装置がマイクロプロセッサ２３に接続されてもよい。
【００２３】
調光信号出力回路２４から出力される調光信号Ｓ（ＰＷＭ信号）の例が図２に示される。ＰＷＭ信号Ｓは、一定の周期Ｔと電圧Ｖを有し、マイクロプロセッサ２３からの指示に応じてオンデューティ（周期Ｔに対するオン時間ｔ１の割合）の値が変化する。
【００２４】
各照明端末Ｆａ、Ｆｂ、Ｒ、Ｅは、入力されるＰＷＭ信号Ｓのオンデューティの値に応じて光出力が変化する。本実施形態における各照明端末Ｆａ、Ｆｂ、Ｒ、Ｅのオンデューティ値に対応する光出力値が図３及び図４に示される。白熱灯照明器具Ｒと蛍光灯照明器具Ｆａ、Ｆｂでは、オンデューティ値の増加にほぼ比例して光出力が減少し、ＬＥＤ照明器具Ｅでは、オンデューティ値の増加に対して光出力が指数関数状に増加する。
【００２５】
上記各照明端末Ｆａ、Ｆｂ、Ｒ、Ｅごとのオンデューティ値に対応する光出力値の関係を示すテーブルＴ１が、調光制御情報として記憶部２６に記憶されている。
【００２６】
蛍光灯照明器具Ｆａは、図５に示されるように、商用電源２１から電源回路３２を介して電源を供給され、電源回路３２によって所定の電圧に変換された電力の発振周期を蛍光灯３３の点灯周期に変換する発振回路３４と、発振回路３４によって変換される発振周期を調光信号Ｓ（ＰＷＭ信号）に応じた値に制御する発振周期制御部３５と、発振回路３４によって変換された発振周期に応じて光出力が変化する蛍光灯３３と、調光信号回線Ｌ１を所定の時間短絡する回線短絡装置３６とを備える。
【００２７】
具体的には、発振周期制御部３５は、例えばオンデューティ値９０％のＰＷＭ信号Ｓが調光信号回線Ｌ１を介して入力されたとき、そのＰＷＭ信号Ｓに応じて発振回路３４の発振周期を制御し、蛍光灯３３を１１％の光出力とする（図３、図４参照）。
【００２８】
回線短絡装置３６は、図６に示されるように、並行な２本の調光信号回線Ｌ１間に亘って接続された通常オフのトランジスタ３７と、トランジスタ３７のオンオフを制御するタイマ回路３９と、トランジスタ３７のオンによって形成される短絡路３０に介装されたコンデンサ３８（容量手段）を備える。トランジスタ３７とタイマ回路３９によってスイッチ手段が構成されている。
【００２９】
コンデンサ３８の静電容量値は、照明端末の種別に応じた別々の値に設定されており、照明端末が蛍光灯照明器具Ｆａ、Ｆｂの場合には、静電容量Ｃｆに設定される。
【００３０】
タイマ回路３９は、マイクロプロセッサ３９ａを搭載した電子回路であり、蛍光灯照明器具Ｆａの電源回路３２の電源オンを検出し、その検出と同時にタイマをオンすると共にトランジスタ３７をオンに切替え、所定の時間経過後にタイマをオフすると共にトランジスタ３７をオフに切替えることによって調光信号回線Ｌ１の短絡路３０を所定の時間短絡する。マイクロプロセッサ３９ａに替えて、マイコン、汎用ＩＣといったものでもよい。
【００３１】
タイマ回路３９のオンオフタイミング、蛍光灯照明器具Ｆａの電源オンのタイミング、及び調光制御装置２の電源オンのタイミングが図７に示される。調光制御装置２の電源が時刻ｔａにオンされた直後に蛍光灯照明器具Ｆａの電源が時刻ｔｂにオンされ、同時にタイマ回路３９のタイマがオンしてコンデンサ３８への充電が開始され、充電電圧がコンデンサ３８の静電容量Ｃｆに応じた速度で増加する。
【００３２】
タイマ回路３９は予め設定された所定時間Ｔｔ後の時刻ｔｃにオフし、トランジスタ３７がオフへ切替えられて短絡路３０が開放される。短絡路３０が開放される時刻ｔｃまでにコンデンサ３８は後述する所定の電圧Ｖｃを超えて満充電状態になる。
【００３３】
調光制御装置２は、調光信号出力回路２４が、電源オンの直後に調光信号回線Ｌ１に対してオンデューティ値１００％の調光信号Ｓ（ＰＷＭ信号）を送信し、その調光信号Ｓの電圧Ｖによってコンデンサ３８を充電する。充電時間測定回路２５は、調光信号Ｓの電圧Ｖよりも低く設定された比較電圧Ｖｃを記憶しており、調光信号回線Ｌ１の電圧が比較電圧Ｖｃを超えた時点ｔｄを検出し、蛍光灯照明器具Ｆａの電源オンの時点ｔｂからの経過時間Ｔｅを充電時間として測定する。なお、蛍光灯照明器具Ｆａの電源オンの時点ｔｂは、調光制御装置２の電源オンの時点ｔａから予め設定された所定時間Ｔｆ後であり、充電時間測定回路２５は、充電開始時点ｔｂを演算によって求める。
【００３４】
調光信号回線Ｌ２に接続された蛍光灯照明器具Ｆｂの構成、及び蛍光灯照明器具Ｆｂ内の回線短絡装置３６の構成は、調光信号回線Ｌ１に接続された蛍光灯照明器具Ｆａ、及び回線短絡装置３６と同一であるので説明を省略する。
【００３５】
次に、白熱灯照明器具Ｒについて、図８を参照して説明する。白熱灯照明器具Ｒは、商用電源２１から電源回路４２を介して電源を供給され、電源回路４２によって所定の電圧に変換された電力の出力位相角を、調光信号Ｓ（ＰＷＭ信号）に応じた値に変換する信号変換部４３と、信号変換部４３によって所定の出力位相角に変換された電力に応じて光出力が変化する白熱灯４４と、調光信号回線Ｌ３を所定の時間Ｔｔだけ短絡する回線短絡装置４５とを備える。
【００３６】
具体的には、信号変換部４３は、例えばオンデューティ値９８％のＰＷＭ信号Ｓが入力されたとき、そのＰＷＭ信号に応じて出力位相角を１７８度に制御し、白熱灯４４の光出力が２％になる。調光信号Ｓ（ＰＷＭ信号）のオンデューティ値に対する出力位相角の例が図９のテーブルＴ２に示される。図９に示されるテーブルＴ２の内容は、信号変換部４３に記憶されている。
【００３７】
白熱灯照明器具Ｒに備えられる回線短絡装置４５の構成は、蛍光灯照明器具Ｆａ、Ｆｂに備えられた回線短絡装置３６と同一であり説明を省略するが、白熱灯照明器具Ｒに備えられる回線短絡装置４５のコンデンサ３８の静電容量値Ｃｒは、蛍光灯照明器具Ｆａ、Ｆｂに備えられた回線短絡装置３６のコンデンサ３８の静電容量値Ｃｆとは異なった値に設定される。
【００３８】
従って、調光制御装置２の電源がオンされた直後に、調光制御装置２が調光信号回線Ｌ３にオンデューティ値１００％の調光信号Ｓ（ＰＷＭ信号）を電圧Ｖで送信したとき、調光信号回線Ｌ３の短絡路３０が所定時間Ｔｔだけ短絡され、調光信号回線Ｌ３の充電時間測定回路２５によって充電時間Ｔｅが測定される。ここで、調光信号回線Ｌ３について測定された充電時間を充電時間Ｔｅｒとして示すとすると、静電容量値Ｃｒが静電容量値Ｃｆよりも大きい場合には、充電時間Ｔｅｒ＞Ｔｅであり、静電容量値Ｃｒが静電容量値Ｃｆよりも小さい場合には、充電時間Ｔｅｒ＜Ｔｅである。
【００３９】
次に、ＬＥＤ照明器具Ｅについて、図１０を参照して説明する。ＬＥＤ照明器具Ｅは、商用電源２１から電源回路５２を介して電源を供給され、電源回路５２によって所定の電圧に変換された電力の出力位相角を、調光信号Ｓ（ＰＷＭ信号）に応じた値に変換する信号変換部５３と、信号変換部５３によって所定の位相角に変換された電力に応じて光出力が変化するＬＥＤ５４と、調光信号回線Ｌ４を所定の時間Ｔｔだけ短絡する回線短絡装置５５とを備える。
【００４０】
具体的には、信号変換部５３は、例えばオンデューティ値９９％のＰＷＭ信号Ｓが入力されたとき、そのＰＷＭ信号Ｓに応じて出力位相角を１７９度に制御し、ＬＥＤ５４の光出力は９８％になる。白熱灯照明器具Ｒと同様に、調光信号Ｓ（ＰＷＭ信号）のオンデューティ値に対する出力位相角のテーブルが、信号変換部５３に記憶されている。
【００４１】
ＬＥＤ照明器具Ｅに備えられる回線短絡装置５５の構成も、蛍光灯照明器具Ｆａ、Ｆｂに備えられた回線短絡装置３６と同一であり説明を省略するが、ＬＥＤ照明器具Ｅに備えられる回線短絡装置５５のコンデンサ３８の静電容量値Ｃｅは、蛍光灯照明器具Ｆａ、Ｆｂに備えられた回線短絡装置３６のコンデンサ３８の静電容量値Ｃｆ、及び白熱灯照明器具Ｒに備えられた回線短絡装置４５のコンデンサ３８の静電容量値Ｃｒとは異なった値に設定される。
【００４２】
従って、調光制御装置２の電源がオンされた直後に、調光制御装置２が調光信号回線Ｌ４にオンデューティ値１００％の調光信号Ｓ（ＰＷＭ信号）を電圧Ｖで送信したとき、調光信号回線Ｌ４が所定時間Ｔｔだけ短絡され、調光信号回線Ｌ４の充電時間測定回路２５によって充電時間Ｔｅが測定される。ここで、調光信号回線Ｌ４について測定された充電時間を充電時間Ｔｅｅとして示すとすると、静電容量値Ｃｅが静電容量値Ｃｆよりも大きい場合には、充電時間Ｔｅｅ＞Ｔｅであり、静電容量値Ｃｅが静電容量値Ｃｆよりも小さい場合には、充電時間Ｔｅｅ＜Ｔｅである。
【００４３】
次に、各調光信号回線Ｌ１、Ｌ２、Ｌ３、Ｌ４に複数の照明器具が接続される構成について、図１１（ａ）、（ｂ）を参照して説明する。３台の蛍光灯照明器具Ｆａ１、Ｆａ２、Ｆａ３が調光信号回線Ｌ１に接続された構成が図１１（ａ）に示される。各蛍光灯照明器具Ｆａ１、Ｆａ２、Ｆａ３は、２本の調光信号回線Ｌ１に対して回線短絡装置３６が並列になるように接続される。このように接続した場合には、調光信号回線Ｌ１に調光制御装置２から１００％オンデューティ値の調光信号Ｓが電圧Ｖで送信されるときに、充電時間測定回路２５が測定する充電時間は３×Ｔｅである。
【００４４】
他の調光信号回線Ｌ２、Ｌ３、Ｌ４に対する各照明器具Ｆｂ、Ｒ、Ｅの接続構成も、上記の構成と同一であるが、白熱灯照明器具Ｒについて複数本の白熱灯４４を共通の信号変換部４３に接続する構成が可能であり、その場合共通の信号変換部４３に並列に回線短絡装置４５を接続することができる。
【００４５】
具体的には、図１１（ｂ）に示されるように、調光信号回線Ｌ３に対して１つの回線短絡装置４５と１つの信号変換部４３が並列に接続され、信号変換部４３からの出力線に複数の白熱灯４４が並列に接続される。このように接続した場合には、調光信号回線Ｌ３に調光制御装置２から１００％オンデューティ値の調光信号Ｓが電圧Ｖで送信されるときに、充電時間測定回路２５が測定する充電時間はＴｅｒである。ＬＥＤ照明器具Ｅについても、上記のような信号変換部５３と回線短絡装置５５を共通に接続する構成を採用することが可能である。
【００４６】
次に、本実施形態の調光制御システム１の調光制御動作について説明する。調光制御装置２の電源回路２２がオンされ（図７の時刻ｔａ）、所定時間Ｔｆ後に各照明端末Ｆａ、Ｆｂ、Ｒ、Ｅの電源回路３２、４２、５２がオンされる（図７の時刻ｔｂ）。マイクロプロセッサ２３は、各調光信号回線Ｌ１、Ｌ２、Ｌ３、Ｌ４の調光信号出力回路２４に対してコマンドを出力し、各調光信号出力回路２４は、オンデューティ値１００％の調光信号Ｓを電圧Ｖで出力する。
【００４７】
各照明端末Ｆａ、Ｆｂ、Ｒ、Ｅの回線短絡装置３６、４５、５５は、タイマ回路３９が所定時間Ｔｔだけトランジスタ３７をオンして、各調光信号回線Ｌ１、Ｌ２、Ｌ３、Ｌ４のコンデンサ３８に充電が開始される（図７の時刻ｔｂ）。
【００４８】
各調光信号回線Ｌ１、Ｌ２、Ｌ３、Ｌ４の短絡時間Ｔｔは、充分に短い時間に設定され、調光制御装置２が各照明端末の種別を判定した後、各照明端末に対して所定のオンデューティ値の調光信号Ｓを送信するときに、その調光信号Ｓを短絡してしまうことがない。また、調光制御装置２がオンデューティ値１００％の調光信号Ｓを電圧Ｖで出力する時間も充分に短い時間に設定されている。
【００４９】
ここで、調光信号回線Ｌ１にｎ台の蛍光灯照明器具Ｆａ１、Ｆａ２・・Ｆａｎが接続されている場合には、調光信号回線Ｌ１の充電時間測定回路２５が測定する充電時間はｎ×Ｔｅになり、調光信号回線Ｌ２にｍ台の蛍光灯照明器具Ｆｂ１、Ｆｂ２・・Ｆｂｍが接続されている場合には、調光信号回線Ｌ２の充電時間測定回路２５が測定する充電時間はｍ×Ｔｅになる。
【００５０】
また、調光信号回線Ｌ３にｎ台の白熱灯照明器具Ｒ１、Ｒ２・・Ｒｎが、図１１（ｂ）に示されるような信号変換部４３を共通化する構造を採らずに接続されている場合には、調光信号回線Ｌ３の充電時間測定回路２５が測定する充電時間はｎ×Ｔｅｒになり、調光信号回線Ｌ４にｎ台のＬＥＤ照明器具Ｅ１、Ｅ２・・Ｅｎが、図１１（ｂ）に示されるような信号変換部５３を共通化する構造を採らずに接続されている場合には、調光信号回線Ｌ４の充電時間測定回路２５が測定する充電時間はｎ×Ｔｅｅになる。
【００５１】
各調光信号回線Ｌ１、Ｌ２、Ｌ３、Ｌ４の充電時間測定回路２５が測定した充電時間ｎ×Ｔｅ、ｍ×Ｔｅ、ｎ×Ｔｅｒ、ｎ×Ｔｅｅは、マイクロプロセッサ２３へ送信される。
【００５２】
次に、マイクロプロセッサ２３は、各調光信号回線Ｌ１、Ｌ２、Ｌ３、Ｌ４の充電時間測定回路２５から受信した各測定値について、予め記憶部２６内に記憶してある照明端末の種別に応じた静電容量値のコンデンサ３８の１個が電圧Ｖｃにまで充電されるのに必要な充電時間（以下、標準充電時間という）の情報を読出し、その標準充電時間の情報と充電時間の各測定値に基づいて各調光信号回線Ｌ１、Ｌ２、Ｌ３、Ｌ４に接続された照明器具の種別を判定し、照明器具の台数を算出する。
【００５３】
記憶部２６に記憶された標準充電時間は、具体的には、蛍光灯照明器具Ｆａ、Ｆｂについて充電時間Ｔｅであり、白熱灯照明器具Ｒについて充電時間Ｔｅｒであり、ＬＥＤ照明器具Ｅについて充電時間Ｔｅｅである。
【００５４】
そして、マイクロプロセッサ２３は、演算部２８において、各測定値（ｎ×Ｔｅ、ｍ×Ｔｅ、ｎ×Ｔｅｒ、ｎ×Ｔｅｅ）ごとに、各標準充電時間（Ｔｅ、Ｔｅｒ、Ｔｅｅ）によって除算し、演算部２８が算出結果をマイクロプロセッサ２３へ出力する。
【００５５】
例えば、マイクロプロセッサ２３は、演算部２８において、測定値ｎ×Ｔｅについて各標準充電時間Ｔｅ、Ｔｅｒ、Ｔｅｅによって順次除算させ、蛍光灯照明器具Ｆａ、Ｆｂについての標準充電時間Ｔｅによって除算したときに整数の商ｎが得られるという算出結果を演算部２８から得る。
【００５６】
この結果から、マイクロプロセッサ２３は、調光信号回線Ｌ１に接続されている照明端末の種別は、蛍光灯照明器具Ｆａであると判定し、接続された台数はｎ台であるという台数情報を得る。
【００５７】
同様にして、マイクロプロセッサ２３は、調光信号回線Ｌ２に接続されている照明端末の種別は、蛍光灯照明器具Ｆｂであると判定し、接続された台数はｍ台であるという台数情報を得、調光信号回線Ｌ３に接続されている照明端末の種別は、白熱灯照明器具Ｒであると判定し、接続された台数はｎ台であるという台数情報を得、調光信号回線Ｌ４に接続されている照明端末の種別は、ＬＥＤ照明器具Ｅであると判定し、接続された台数はｎ台であるという台数情報を得る。
【００５８】
マイクロプロセッサ２３は、各調光信号回線Ｌ１、Ｌ２、Ｌ３、Ｌ４について判定した照明端末の種別と接続台数を記憶部２６に記憶し、マイクロプロセッサ２３に液晶パネル等の表示装置が接続されている場合には、表示装置に表示する。
【００５９】
演算部２８が行う上記の演算において、各測定値を標準充電時間によって除算したときに整数の商が得られない場合については後述する。
【００６０】
そして、ユーザがリモコン３を操作して何れかの照明端末のグループ（オフィス内の何れかの領域）の明るさを調整するときに、マイクロプロセッサ２３は、調整すべき調光信号回線Ｌ１、Ｌ２、Ｌ３、Ｌ４の照明端末の種別を記憶部２６から読出し、さらに読出した照明端末についてのオンデューティ値に対応する光出力値の関係（調光制御情報）を記憶部２６から読出し、読出したオンデューティ値に対応する光出力値の関係に基づいて調整すべき調光信号回線の調光信号出力回路２４へ所定のオンデューティ値で調光信号Ｓを出力するように制御する。
【００６１】
例えば、ユーザがリモコン３を操作して調光信号回線Ｌ１に接続された蛍光灯照明器具Ｆａの光出力の指示指令（例えば、１７％の光出力）を入力したときには、マイクロプロセッサ２３は、記憶部２６から調光信号回線Ｌ１に接続された照明端末が蛍光灯照明器具Ｆａであるという情報を読出し、記憶部２６から調光制御情報（図４参照）の蛍光灯照明器具に関するオンデューティ値に対応した光出力値の関係情報を読出し、その関係情報に基づいてユーザが入力した光出力（１７％）に対応するオンデューティ値（８５％）を決定し、調光信号出力回路２４をオンデューティ値８５％の調光信号を出力するように制御する。
【００６２】
調光信号出力回路２４は、調光信号回線Ｌ１に対してオンデューティ値８５％の調光信号Ｓを出力し、調光信号回線Ｌ１に接続された全ての蛍光灯照明器具Ｆａ１、Ｆａ２・・Ｆａｎが光出力１７％で点灯する。
【００６３】
ユーザがリモコン３を操作して他の調光信号回線Ｌ２、Ｌ３、Ｌ４の照明端末に対して任意の光出力の指示指令を入力した場合も同様に、他の調光信号回線Ｌ２、Ｌ３、Ｌ４に接続された蛍光灯照明器具Ｆｂ、白熱灯照明器具Ｒ、及びＬＥＤ照明器具Ｅが入力された通りの光出力で点灯する。
【００６４】
なお、記憶部２６にシーンごとの各照明端末Ｆａ、Ｆｂ、Ｒ、Ｅの光出力が記憶されている場合は、リモコン３からの操作によってシーンを選択することによって、各調光信号回線Ｌ１、Ｌ２、Ｌ３、Ｌ４の照明端末Ｆａ、Ｆｂ、Ｒ、Ｅの光出力を一括して調整することができる。
【００６５】
例えば、記憶部２６に、図１２に示されるようにシーン１乃至シーン３における各照明端末の光出力が記憶されている場合、ユーザがリモコン３を操作してシーン１を選択したときには、調光信号回線Ｌ１、Ｌ２に接続された蛍光灯照明器具Ｆａ、Ｆｂが光出力５０％で点灯され、調光信号回線Ｌ３に接続された白熱灯照明器具Ｒが光出力１００％で点灯され、調光信号回線Ｌ４に接続されたＬＥＤ照明器具Ｅが光出力５０％で点灯される。
【００６６】
次に、各調光信号回線Ｌ１、Ｌ２、Ｌ３、Ｌ４について、１つの回線内において種別の異なる照明端末が接続された場合について、図１３及び図１４を参照して説明する。
【００６７】
各調光信号回線Ｌ１、Ｌ２、Ｌ３、Ｌ４に多数の照明端末が接続されるときには、配線時の手違いにより１つの調光信号回線に異種の照明端末が接続されてしまうことがある。
【００６８】
例えば、図１３に示されるように、同一の調光信号回線Ｌ１に蛍光灯照明器具Ｆａ１、Ｆａ２と異種の蛍光灯照明器具Ｒ１が接続された場合には、蛍光灯照明器具Ｆａ１、Ｆａ２の回線短絡装置３６についての静電容量値は共にＣｆであり、蛍光灯照明器具Ｒ１の回線短絡装置３６についての静電容量値はＣｒであるので、調光制御装置２の電源がオンされた直後に調光信号出力回路２４から１００％オンデューティ値の調光信号Ｓ（ＰＷＭ信号）が電圧Ｖで出力されたときに、調光信号回線Ｌ１の充電時間測定回路２５が測定する充電時間は（２×Ｔｅ＋Ｔｅｒ）になる。
【００６９】
この場合、マイクロプロセッサ２３は、演算部２８において充電時間（２×Ｔｅ＋Ｔｅｒ）を各標準充電時間Ｔｅ、Ｔｅｒ、Ｔｅｅで順に除算させ、整数ではない商ｘを得、調光信号回線Ｌ１には種別の異なる照明端末が接続されていると判断して、スピーカ２９からアラーム音を出力する。マイクロプロセッサ２３に液晶パネル等の表示装置が接続されている場合には、表示装置に表示する。
【００７０】
アラームの音声や表示には、異常が検出された調光信号回線Ｌ１、Ｌ２、Ｌ３、Ｌ４を示す回線番号等の情報を付加することができ、ユーザは、アラームによって配線の間違い等の異常に気づき、示された調光信号回線の配線の修正を行うことができる。
【００７１】
同一の調光信号回線Ｌ３に信号変換部４３と回線短絡装置３６を共通化して複数の白熱灯照明器具Ｒを接続する構成において、白熱灯４４とは異種の蛍光灯照明器具Ｆａが間違えて接続された場合にも、異常を検出することができる。
【００７２】
例えば、図１４に示されるように、同一の調光信号回線Ｌ３に白熱灯照明器具Ｒ１と蛍光灯照明器具Ｆａ１が接続された場合には、白熱灯照明器具Ｒ１の回線短絡装置３６についての静電容量値はＣｒであり、蛍光灯照明器具Ｆａ１の回線短絡装置３６についての静電容量値はＣｆであるので、調光信号回線Ｌ３の充電時間測定回路２５が測定する充電時間は（Ｔｅｒ＋Ｔｅ）になり、マイクロプロセッサ２３は、演算部２８から整数ではない商ｘを得、調光信号回線Ｌ３には種別の異なる照明端末が接続されていると判断して、スピーカ２９からアラーム音を出力する。
【００７３】
以上のように、本実施形態の調光制御システム１においては、調光制御装置２の充電時間測定回路２５が各調光信号回線Ｌ１、Ｌ２、Ｌ３、Ｌ４の回線短絡装置３６のコンデンサ３８に所定の電圧Ｖｃが充電されるまでの充電時間を測定し、マイクロプロセッサ２３が測定した充電時間に基づいて各調光信号回線Ｌ１、Ｌ２、Ｌ３、Ｌ４に接続された照明端末の種別を判定するので、各調光信号回線Ｌ１、Ｌ２、Ｌ３、Ｌ４に接続された照明端末の種別をより正しく判定することができる。また、各調光信号回線Ｌ１、Ｌ２、Ｌ３、Ｌ４に複数の照明端末が接続される場合に、該複数の照明端末が同一の種別であるか否かを検出することができ、接続された台数を算出することができる。
【００７４】
なお、本実施形態では、蛍光灯照明器具Ｆａの回線短絡装置３６のコンデンサ３８の静電容量値Ｃｆと、蛍光灯照明器具Ｆｂの回線短絡装置３６のコンデンサ３８の静電容量値Ｃｆは、蛍光灯照明器具Ｆａと蛍光灯照明器具Ｆｂが同一の種別（例えば、インバータ蛍光灯）であることから同一の値であったが、蛍光灯照明器具Ｆａと蛍光灯照明器具Ｆｂが信号形式等の異なる別種の照明端末である場合には、別々の値に設定することも可能である。その場合には、同一の調光信号回線に蛍光灯照明器具Ｆａと蛍光灯照明器具Ｆｂが混在して接続された異常を検出することができる。
【図面の簡単な説明】
【００７５】
【図１】本発明の一実施形態に係る調光制御システムの全体構成を示すブロック図。
【図２】同調光制御システムの調光制御装置が各調光信号回線に対して出力する調光信号の例を示す図。
【図３】同調光制御システムにおける調光信号のオンデューティ値と各照明端末の光出力の関係を示すグラフ。
【図４】同調光制御システムにおける調光信号のオンデューティ値と各照明端末の光出力の関係を示すテーブル。
【図５】同調光制御システムにおける蛍光灯照明器具の構成を示すブロック図。
【図６】同調光制御システムにおける回線短絡装置の構成を示すブロック図。
【図７】同調光制御システムにおける回線短絡装置のタイマのオンオフタイミング、調光制御装置の電源オンのタイミング、蛍光灯照明器具の電源オンのタイミング、及びコンデンサの充電電圧の変化を示すタイミングチャート。
【図８】同調光制御システムにおける白熱灯照明器具の構成を示すブロック図。
【図９】同調光制御システムにおける白熱灯照明器具の信号変換部に記憶された調光信号のオンデューティ値と出力位相角の関係を示すテーブル。
【図１０】同調光制御システムにおけるＬＥＤ照明器具の構成を示すブロック図。
【図１１】（ａ）は同調光制御システムにおいて蛍光灯照明器具が同一の調光信号回線に複数接続された構成を示すブロック図、（ｂ）は同調光制御システムにおいて白熱灯照明器具が、信号変換部と回線短絡装置を共通化するようにして同一の調光信号回線に複数接続された構成を示すブロック図。
【図１２】同調光制御システムにおける調光制御装置の記憶部に記憶されたシーン別の各照明端末の光出力を示す図。
【図１３】同調光制御システムにおいて同一の調光信号回線に種別の異なる照明端末が接続された状態の例を示すブロック図。
【図１４】同調光制御システムにおいて同一の調光信号回線に種別の異なる照明端末が接続された状態の他の例を示すブロック図。
【図１５】従来の調光制御システムの全体構成を示すブロック図。
【符号の説明】
【００７６】
１  調光制御システム
２  調光制御装置
２３  マイクロプロセッサ（種別判定手段）
２５  充電時間測定回路（充電時間測定手段）
２６  記憶部（記憶手段）
２８  演算部（演算手段）
２９  スピーカ（報知手段）
３０  短絡路
３７  トランジスタ（スイッチ手段）
３８  コンデンサ（容量手段）
３９  タイマ回路（スイッチ手段）
Ｌ１、Ｌ２、Ｌ３、Ｌ４  調光信号回線
Ｓ  調光信号
Ｆａ、Ｆｂ  蛍光灯照明器具（照明端末）
Ｒ  白熱灯照明器具（照明端末）
Ｅ  ＬＥＤ照明器具（照明端末）
Ｃｆ、Ｃｒ、Ｃｅ  静電容量値
Ｔ１  テーブル（調光制御情報）
Ｔｅ  充電時間
Ｖｃ  電圧（所定電位）
【図１】
2008204921.tif 000003
【図２】
2008204921.tif 000004
【図３】
2008204921.tif 000005
【図４】
2008204921.tif 000006
【図５】
2008204921.tif 000007
【図６】
2008204921.tif 000008
【図７】
2008204921.tif 000009
【図８】
2008204921.tif 000010
【図９】
2008204921.tif 000011
【図１０】
2008204921.tif 000012
【図１１】
2008204921.tif 000013
【図１２】
2008204921.tif 000014
【図１３】
2008204921.tif 000015
【図１４】
2008204921.tif 000016
【図１５】
2008204921.tif 000017